(57)【要約】【課題】清掃部品の殺菌作用および優れた携帯性を有する口腔衛生装置を提供する。【解決手段】口腔衛生装置１は、電源１５、および口腔内を清掃する清掃部品３０を有する電動歯ブラシ２と、電動歯ブラシ２への取り付けおよび電動歯ブラシ２からの取り外しが可能かつ清掃部品３０を保護するキャップ５０と、清掃部品３０に対して紫外線光を照射する光源６１と備える。口腔衛生装置１は、キャップ５０が電動歯ブラシ２に取り付けられることを検出したとき、光源６１に電源１５の電力を供給する。【選択図】図１
2014023796.tif 000002
【特許請求の範囲】
【請求項１】
電源、および口腔内を清掃する清掃部品を有する清掃装置と、
前記清掃装置への取り付けおよび前記清掃装置からの取り外しが可能かつ前記清掃部品を保護するキャップと、
前記清掃部品に対して光を照射する光源と
を備える口腔衛装置において、
前記キャップが前記清掃装置に取り付けられたことを検出したとき、前記光源に前記電源の電力を供給する
を有する口腔衛生装置。
【請求項２】
前記清掃装置は、前記キャップが前記清掃装置に取り付けられていることを検出するための検出電圧を前記清掃装置内に印加する供給部と、前記清掃装置内の所定の部分における前記検出電圧による検出電流の大きさを検出する検出部とを有し、
前記清掃装置は、前記検出電流の大きさが基準範囲内のとき、前記光源に前記電源の電力を供給する
請求項１に記載の口腔衛生装置。
【請求項３】
前記検出電圧は、前記光源を点灯させる電圧よりも小さい
請求項２に記載の口腔衛生装置。
【請求項４】
前記清掃装置は、前記電源からの電力に基づいて前記清掃部品を振動させる振動発生装置を有し、
前記供給部は、前記振動発生装置による前記清掃部品の振動が終了したとき、前記検出電圧の印加を開始する
請求項２または３に記載の口腔衛生装置。
【請求項５】
前記清掃装置は、前記電源からの電力に基づいて前記清掃部品を振動させる振動発生装置を有し、
前記供給部は、前記振動発生装置による前記清掃部品の振動が終了したときから所定時間経過後において前記検出電圧の印加を停止する
請求項２〜４のいずれか一項に記載の口腔衛生装置。
【請求項６】
前記供給部は、前記検出電圧を間欠的に印加する
請求項２〜５のいずれか一項に記載の口腔衛生装置。
【請求項７】
前記供給部は、前記光源が点灯するとき、前記検出電圧を印加しない
請求項２〜６のいずれか一項に記載の口腔衛生装置。
【請求項８】
前記清掃装置は、前記電源からの電力に基づいて前記清掃部品を振動させる振動発生装置を有し、
前記光源は、前記振動発生装置による前記清掃部品の振動が終了したときから所定時間経過後において点灯しない
請求項１〜７のいずれか一項に記載の口腔衛生装置。
【発明の詳細な説明】
【技術分野】
【０００１】
本発明は、口腔内を清掃する清掃装置を有する口腔衛生装置に関する。
【背景技術】
【０００２】
従来の携帯用殺菌装置は、口腔衛生装置（歯ブラシ）を収納する本体ケースに殺菌用の光源を備えている。この従来の携帯用殺菌装置として、例えば特許文献１の携帯用殺菌装置が知られている。
【先行技術文献】
【特許文献】
【０００３】
【特許文献１】特開平１１−３１８５６６号公報
【発明の概要】
【発明が解決しようとする課題】
【０００４】
上記携帯用殺菌装置の使用者は、ブリッスル束の殺菌作用が得られる状態で歯ブラシを携帯するためには、本体ケースと歯ブラシとを併せて携帯することが必要となる。一方、本体ケースは、歯ブラシを収納するための空間を有するため、歯ブラシよりもサイズが大きい。このため、携帯性の観点からすると改善の余地が残されている。
【０００５】
なお、ここでは口腔衛生装置として歯ブラシの課題について検討したが、殺菌のための光源を備える他の口腔衛生装置（例えばステイン除去装置）においても上記の課題は概ね共通するものと考えられる。
【０００６】
本発明は、上記課題を解決するため、清掃部品の殺菌作用および優れた携帯性を有する口腔衛生装置を提供することを目的とする。
【課題を解決するための手段】
【０００７】
・本発明の口腔衛生装置は、電源、および口腔内を清掃する清掃部品を有する清掃装置と、前記清掃装置への取り付けおよび前記清掃装置からの取り外しが可能かつ前記清掃部品を保護するキャップと、前記清掃部品に対して光を照射する光源とを備え、前記キャップが前記清掃装置に取り付けられたことを検出したとき、前記光源に前記電源の電力を供給することを特徴とする。
【０００８】
・上記口腔衛生装置において、前記清掃装置は、前記キャップが前記清掃装置に取り付けられていることを検出するための検出電圧を前記清掃装置内に印加する供給部と、前記清掃装置内の所定の部分における前記検出電圧による検出電流の大きさを検出する検出部とを有し、前記清掃装置は、前記検出電流の大きさが基準範囲内のとき、前記光源に前記電源の電力を供給することが好ましい。
【０００９】
・上記口腔衛生装置において、前記検出電圧は、前記光源を点灯させる電圧よりも小さいことが好ましい。
・上記口腔衛生装置において、前記清掃装置は、前記電源からの電力に基づいて前記清掃部品を振動させる振動発生装置を有し、前記供給部は、前記振動発生装置による前記清掃部品の振動が終了したとき、前記検出電圧の印加を開始することが好ましい。
【００１０】
・上記口腔衛生装置において、前記清掃装置は、前記電源からの電力に基づいて前記清掃部品を振動させる振動発生装置を有し、前記供給部は、前記振動発生装置による前記清掃部品の振動が終了したときから所定時間経過後において前記検出電圧の印加を停止することが好ましい。
【００１１】
・上記口腔衛生装置において、前記供給部は、前記検出電圧を間欠的に印加することが好ましい。
・上記口腔衛生装置において、前記供給部は、前記光源が点灯するとき、前記検出電圧を印加しないことが好ましい。
【００１２】
・上記口腔衛生装置において、前記清掃装置は、前記電源からの電力に基づいて前記清掃部品を振動させる振動発生装置を有し、前記光源は、前記振動発生装置による前記清掃部品の振動が終了したときから所定時間経過後において点灯しないことが好ましい。
【発明の効果】
【００１３】
本発明は、清掃部品の殺菌作用および優れた携帯性を有する口腔衛生装置を提供する。
【図面の簡単な説明】
【００１４】
【図１】実施形態の口腔衛生装置に関する図であり、（ａ）は同装置の部分断面構造を示す断面図、（ｂ）は殺菌装置およびその周辺の断面構造を示す断面図、（ｃ）はキャップの上端部分の正面構造を示す正面図。
【図２】実施形態の殺菌装置の斜視構造を示す斜視図。
【図３】実施形態の口腔衛生装置の通電回路を示す回路図。
【図４】比較例の口腔衛生装置の通電回路を示す回路図。
【図５】比較例の口腔衛生装置の通電回路を示す回路図。
【図６】実施形態の口腔衛生装置の制御部により実行される光源点灯制御の処理手順を示すフローチャート。
【図７】実施形態の口腔衛生装置の制御部により実行される光源消灯制御の処理手順を示すフローチャート。
【図８】実施形態の口腔衛生装置の制御部により実行される検出電流停止制御の処理手順を示すフローチャート。
【図９】その他の実施形態の口腔衛生装置に関する図であり、（ａ）は清掃部品およびその周辺の断面構造を示す断面図、（ｂ）はブリッスル束の先端部分の側面構造を示す側面図。
【図１０】その他の実施形態の口腔衛生装置に関する図であり、（ａ）は装置本体の上端部分の断面構造を示す断面図、（ｂ）は装置本体の平面構造を示す平面図。
【図１１】その他の実施形態の口腔衛生装置の装置本体の上端部分およびその周辺の断面構造を示す断面図。
【図１２】その他の実施形態の口腔衛生装置に関する図であり、（ａ）は装置本体の上端部分およびその周辺の断面構造を示す断面図、（ｂ）は装置本体の平面構造を示す平面図。
【発明を実施するための形態】
【００１５】
口腔衛生装置１の方向について次のように定義する。
（Ａ）Ｚ方向は、口腔衛生装置１の長手方向を示す。
（Ｂ）Ｙ方向は、口腔衛生装置１の正面視においてＺ方向と直交する方向を示す。
（Ｃ）Ｘ方向は、口腔衛生装置１の側面視においてＺ方向と直交する方向を示す。
（Ｄ）前方向ＸＡは、Ｘ方向において背面側から正面側に向かう方向を示す。
（Ｅ）後方向ＸＢは、Ｘ方向において正面側から背面側に向かう方向を示す。
（Ｆ）上方向ＺＡはＺ方向において口腔衛生装置１の底部から先端に向かう方向を示す。
（Ｇ）下方向ＺＢはＺ方向において口腔衛生装置１の先端から底部に向かう方向を示す。
【００１６】
図１を参照して、口腔衛生装置１の構成について説明する。
口腔衛生装置１は、電動歯ブラシ２およびキャップ５０を有する。口腔衛生装置１においては、キャップ５０が電動歯ブラシ２に取り付けられる。なお、電動歯ブラシ２は「清掃装置」に相当する。
【００１７】
電動歯ブラシ２は、装置本体１０および清掃部品３０を有する。電動歯ブラシ２は、清掃部品３０が装置本体１０の上端部分に取り付けられる構成を有する。電動歯ブラシ２は、清掃部品３０により使用者の口腔内を清掃する。
【００１８】
装置本体１０は、本体ケース１１および導電ケース１２を有する。装置本体１０においては、電源スイッチ１３およびパッキン１４が本体ケース１１に取り付けられる。装置本体１０は、電源１５としての二次電池、アクチュエーター１６、駆動軸１７の一部分、軸受部品１８、軸受支持体１９、および制御部２０が本体ケース１１内に収容された構成を有する。装置本体１０は、使用者が電動歯ブラシ２を使用するとき、使用者の手により把持される。
【００１９】
本体ケース１１は、非導電性の樹脂材料により形成される。本体ケース１１は、Ｚ方向が長手方向となる筒状に形成される。本体ケース１１は、上端部分においてキャップ５０と嵌合する嵌合部分１１Ａを有する。
【００２０】
導電ケース１２は、金属粉を含む樹脂材料により形成される。導電ケース１２は、筒状に形成される。導電ケース１２は、本体ケース１１において電源スイッチ１３と嵌合部分１１Ａとの間の部分の外周面に固定される。導電ケース１２は、キャップ５０が電動歯ブラシ２に取り付けられた状態において、キャップ５０の下端面と接触する。
【００２１】
電源スイッチ１３は、操作部品１３Ａおよびスイッチ１３Ｂを有する。操作部品１３Ａは、本体ケース１１の前方向ＸＡの部分に取り付けられる。スイッチ１３Ｂは、制御部２０の回路基板２１に取り付けられる。スイッチ１３Ｂとしては、機械式のスイッチが用いられる。スイッチ１３Ｂは、電源スイッチ１３のオン状態およびオフ状態を切り替える。スイッチ１３Ｂは、電源スイッチ１３がオン状態のとき、オン信号を制御部２０に出力する。
【００２２】
パッキン１４は、弾性に富んだ樹脂材料により形成される。パッキン１４の外周部分は、本体ケース１１に取り付けられる。パッキン１４の内周部分は、駆動軸１７に密着する。パッキン１４は、本体ケース１１と駆動軸１７との隙間を封止する。
【００２３】
電源１５は、本体ケース１１の下端部分に位置する。電源１５は、制御部２０に電力を供給する。
アクチュエーター１６は、Ｚ方向に振動する出力軸（図示略）を有する。アクチュエーター１６の出力軸は、駆動軸１７と連結する。アクチュエーター１６は、駆動軸１７をＺ方向に振動させる。
【００２４】
駆動軸１７は、金属材料により形成される。駆動軸１７は、清掃部品３０のブラシ柄３１に接続される。駆動軸１７は、アクチュエーター１６の駆動にともない清掃部品３０をＺ方向に振動させる。なお、アクチュエーター１６および駆動軸１７は「振動発生装置」に相当する。
【００２５】
軸受部品１８は、金属材料により形成される。軸受部品１８は、本体ケース１１において電源スイッチ１３と嵌合部分１１Ａとの間の部分に位置する。軸受部品１８は、駆動軸１７のＺ方向への移動が可能な状態で駆動軸１７を支持する。
【００２６】
軸受支持体１９は、金属材料により形成される。軸受支持体１９は、本体ケース１１において電源スイッチ１３と嵌合部分１１Ａとの間の部分に固定される。軸受支持体１９は、軸受部品１８に接触した状態で軸受部品１８を保持する。
【００２７】
制御部２０は、回路基板２１、マイクロコンピューター（以下、「マイコン２２」）、第１接続端子２３、および第２接続端子２４を有する。制御部２０においては、回路基板２１上にマイコン２２、第１接続端子２３、および第２接続端子２４が取り付けられる。制御部２０は、口腔衛生装置１の各部品の動作を制御する。
【００２８】
第１接続端子２３は、金属板により形成される。第１接続端子２３は、回路基板２１において前方向ＸＡ側の面に取り付けられる。第１接続端子２３は、導電ケース１２の内周面に接触する。第１接続端子２３は、マイコン２２と導電ケース１２とを電気的に接続する。
【００２９】
第２接続端子２４は、金属板により形成される。第２接続端子２４は、回路基板２１の後方向ＸＢ側の面に取り付けられる。第２接続端子２４は、軸受支持体１９の下面に接触する。第２接続端子２４は、マイコン２２と軸受支持体１９とを電気的に接続する。
【００３０】
清掃部品３０は、ブラシ柄３１、植毛台３２、導電体３３、接続ターミナル３４、およびブリッスル束４０を有する。清掃部品３０においては、ブラシ柄３１、植毛台３２、導電体３３、および接続ターミナル３４が一体に形成される。清掃部品３０は、ブリッスル束４０が植毛台３２の前方向ＸＡの面（以下、「植毛面３２Ａ」）に植毛された構成を有する。
【００３１】
ブラシ柄３１は、同一の樹脂材料により植毛台３２と一体に成形される。ブラシ柄３１は、駆動軸１７が挿入される挿入部分３１Ａを有する。ブラシ柄３１は、清掃部品３０の下方向ＺＢの部分を構成する。
【００３２】
植毛台３２は、ブラシ柄３１よりも上方向ＺＡに位置する。植毛台３２は、前方向ＸＡの部分において導電体３３を収容する。
導電体３３は、金属粉を含む樹脂材料により形成される。導電体３３の前方向ＸＡの面は、植毛面３２Ａおよび清掃部品３０の上端面の一部分を構成する。
【００３３】
接続ターミナル３４は、金属板により形成される。接続ターミナル３４は、Ｚ方向に延びる。接続ターミナル３４の上端部分は、導電体３３に接続される。接続ターミナル３４の下端部分は、ブラシ柄３１の挿入部分３１Ａに位置する。接続ターミナル３４の下端部分は、清掃部品３０が装置本体１０に取り付けられた状態において、駆動軸１７に接触する。
【００３４】
ブリッスル束４０は、複数のブリッスルが束ねられることにより構成される。ブリッスルは、ポリアミド樹脂により形成される。ブリッスル束４０は、使用者が電動歯ブラシ２を使用するとき、使用者の口腔内を清掃する。
【００３５】
キャップ５０は、側周壁５１、上壁５２、導電筒５３、導電板５４、カバー５５、および殺菌装置６０を有する。キャップ５０は、同一の非導電性の樹脂材料により側周壁５１および上壁５２が一体に形成される構成を有する。キャップ５０は、電動歯ブラシ２への取り付けおよび電動歯ブラシ２からの取り外しが可能な状態で電動歯ブラシ２に取り付けられる。キャップ５０は、電動歯ブラシ２に取り付けられた状態において、清掃部品３０の全体を覆う。キャップ５０は、電動歯ブラシ２に取り付けられた状態において、嵌合部分１１Ａに嵌め合わせられる。キャップ５０は、清掃部品３０を保護する。
【００３６】
側周壁５１は、平面視において本体ケース１１の外径と同様の形状に形成される。側周壁５１は、筒状に形成される。側周壁５１は、筒固定部分５１Ａおよび取付開口部分５１Ｂ（ともに図１（ｂ）参照）を有する。側周壁５１は、清掃部品３０および本体ケース１１の嵌合部分１１Ａを外囲する。
【００３７】
筒固定部分５１Ａは、側周壁５１の内面が拡径された部分として形成される。筒固定部分５１Ａは、側周壁５１の全周にわたり形成される。取付開口部分５１Ｂは、側周壁５１の前方向ＸＡの部分において側周壁５１をＸ方向に貫通する。取付開口部分５１Ｂは、段差部分５１Ｃを有する。
【００３８】
上壁５２は、側周壁５１の上端部分を覆う。
導電筒５３は、金属粉を含む樹脂材料により形成される。導電筒５３は、Ｚ方向に貫通する筒形状を有する。導電筒５３は、側周壁５１の筒固定部分５１Ａに圧入される。導電筒５３の上端部分かつ前方向ＸＡの部分は、取付開口部分５１Ｂの一部分を構成する。導電筒５３の上端部分かつ前方向ＸＡの部分は、殺菌装置６０の下端部分に接触する。
【００３９】
導電板５４は、金属板により形成される。導電板５４は、キャップ５０の上壁５２と一体に形成される。導電板５４は、上壁５２の下面に接触する。導電板５４の前方向ＸＡの部分は、取付開口部分５１Ｂの一部分を構成する。導電板５４の前方向ＸＡの部分は、殺菌装置６０の上端部分に接触する。導電板５４は、接触部分５４Ａを有する。接触部分５４Ａは、キャップ５０が電動歯ブラシ２に取り付けられた状態において、清掃部品３０の導電体３３に接触する。
【００４０】
カバー５５は、非導電性の樹脂材料により形成される。カバー５５は、Ｙ方向が長手方向となり、Ｚ方向が短手方向となる平板状に形成される（図１（ｃ）参照）。カバー５５は、取付開口部分５１Ｂの段差部分５１Ｃに嵌め込まれる（図１（ｂ）参照）。カバー５５は、殺菌装置６０を前方向ＸＡから覆う。
【００４１】
殺菌装置６０は、取付開口部分５１Ｂに固定される。殺菌装置６０は、導電筒５３および導電板５４に接触する。殺菌装置６０は、Ｘ方向においてブリッスル束４０と対向する。殺菌装置６０は、ブリッスル束４０に向けて紫外線光を照射する。
【００４２】
図２を参照して、殺菌装置６０の詳細な構成について説明する。
殺菌装置６０は、光源６１としてのチップ型の発光ダイオード、回路基板６２、および一対の端子６３を有する。
【００４３】
光源６１は、回路基板６２の実装面６２Ａに取り付けられる。光源６１は、殺菌作用を有する紫外線光を照射する。
回路基板６２においては、実装面６２Ａに一対の配線部分６２Ｂが形成される。回路基板６２においては、実装面６２Ａ上にコーティング層（図示略）が塗布される。回路基板６２は、光源６１に過大な電力が供給されることを抑制する保護抵抗６５（図３参照）を有する。回路基板６２は、配線部分６２Ｂにより光源６１および一対の端子６３を電気的に接続する。
【００４４】
端子６３は、金属板により形成される。端子６３は、Ｌ字状を有する。端子６３は、固定部品６４により回路基板６２の上端部分および下端部分にそれぞれ固定される。端子６３は、光源６１と導電筒５３（図１（ｂ）参照）とを互いに接続する。端子６３は、光源６１と導電板５４（図１（ｂ）参照）とを互いに接続する。一対の端子６３は、弾性変形した状態で取付開口部分５１Ｂ（図１（ｂ）参照）に圧入される。
【００４５】
図１および図３を参照して、口腔衛生装置１の電気的な接続関係について説明する。
（Ａ）電源１５の陽極は、制御部２０の第１接続端子２３と接続する。
（Ｂ）第１接続端子２３は、装置本体１０の導電ケース１２と接続する。
（Ｃ）導電ケース１２は、キャップ５０の導電筒５３と接続する。
（Ｄ）導電筒５３は、殺菌装置６０の下方向ＺＢ側の端子６３と接触する。
（Ｅ）電源１５の陰極は、制御部２０の第２接続端子２４と接続する。
（Ｆ）第２接続端子２４は、軸受支持体１９と接続する。
（Ｇ）軸受支持体１９は、軸受部品１８と接続する。
（Ｈ）軸受部品１８は、駆動軸１７と接続する。
（Ｉ）駆動軸１７は、清掃部品３０の接続ターミナル３４と接続する。
（Ｊ）接続ターミナル３４は、清掃部品３０の導電体３３と接続する。
（Ｋ）導電体３３は、キャップ５０の導電板５４と接続する。
（Ｌ）導電板５４は、殺菌装置６０の上方向ＺＡ側の端子６３と接触する。
【００４６】
口腔衛生装置１の通電回路について説明する。
口腔衛生装置１は、キャップ５０が電動歯ブラシ２に取り付けられた状態において、殺菌装置６０に電力を供給するための通電回路、すなわち図３に示される通電回路ＦＣを形成する。通電回路ＦＣは、キャップ通電通路ＦＣＡ、清掃部品通電通路ＦＣＢ、第１本体通電通路ＦＣＣ、および第２本体通電通路ＦＣＤを有する。
【００４７】
キャップ通電通路ＦＣＡは、キャップ５０において通電通路を形成する。キャップ通電通路ＦＣＡは、キャップ５０の導電筒５３と、殺菌装置６０内の通電通路と、キャップ５０の導電板５４とにより構成される。
【００４８】
清掃部品通電通路ＦＣＢは、清掃部品３０において通電通路を形成する。清掃部品通電通路ＦＣＢは、清掃部品３０の接続ターミナル３４と導電体３３とにより構成される。
第１本体通電通路ＦＣＣおよび第２本体通電通路ＦＣＤは、装置本体１０において通電通路を形成する。第１本体通電通路ＦＣＣは、電源１５の陽極から制御部２０の第１接続端子２３までの通電通路と、装置本体１０の導電ケース１２とにより構成される。第２本体通電通路ＦＣＤは、電源１５の陰極から制御部２０の第２接続端子２４までの通電通路と、軸受支持体１９と、軸受部品１８と、駆動軸１７とにより構成される。
【００４９】
通電回路ＦＣは、以下の接続構成を有する。すなわち、第１本体通電通路ＦＣＣとキャップ通電通路ＦＣＡとが互いに接続される。第２本体通電通路ＦＣＤと清掃部品通電通路ＦＣＢとが互いに接続される。清掃部品通電通路ＦＣＢとキャップ通電通路ＦＣＡとが互いに接続される。このため、通電回路ＦＣは、電源１５、制御部２０、第１接続端子２３、導電ケース１２、導電筒５３、殺菌装置６０、導電板５４、導電体３３、接続ターミナル３４、駆動軸１７、軸受部品１８、軸受支持体１９、第２接続端子２４、および制御部２０の順に電流が流れる。これにより、電源１５は、殺菌装置６０に電力を供給する。
【００５０】
図３を参照して、マイコン２２の構成について説明する。
マイコン２２は、充放電回路２２Ａ、タイマー回路２２Ｂ、検出電流供給回路２２Ｃ、点灯電流供給回路２２Ｄ、および電流検出回路２２Ｅを有する。なお、検出電流供給回路２２Ｃは「供給部」に相当する。また、電流検出回路２２Ｅは「検出部」に相当する。
【００５１】
充放電回路２２Ａは、電源１５の充電状態に応じて外部電源（図示略）から電源１５への電力の供給状態を制御する。充放電回路２２Ａは、電源１５が満充電のとき、外部電源から電源１５への電力の供給を停止する。充放電回路２２Ａは、電源１５が満充電ではないとき、外部電源から電源１５に電力を供給する。外部電源としては、電動歯ブラシ２を充電する充電器が用いられる。
【００５２】
タイマー回路２２Ｂは、電源スイッチ１３がオフ状態に操作されてからの経過時間（以下、「オフ後時間」）と、キャップ５０が電動歯ブラシ２に取り付けられてからの経過時間（以下、「取付後時間」）とをカウントする。
【００５３】
タイマー回路２２Ｂは、マイコン２２により電源スイッチ１３がオン状態からオフ状態に変更されたと判定されたとき、オフ後時間のカウント（以下、「オフカウント」）を開始する。タイマー回路２２Ｂは、オフカウントが第１閾値に達したとき、オフカウントを停止する。なお、第１閾値は、電源スイッチ１３がオン状態からオフ状態に変更された後、自然乾燥により清掃部品３０が十分に乾燥すると予測される時間に相当する。第１閾値は、試験等の結果に基づいて予め設定される。
【００５４】
タイマー回路２２Ｂは、キャップ５０が電動歯ブラシ２に取り付けられたと判定されたときに取付後時間のカウント（以下、「取付カウント」）を開始する。タイマー回路２２Ｂは、取付カウントが第２閾値に達したとき、取付カウントを停止する。なお、第２閾値は、キャップ５０が電動歯ブラシ２に取り付けられた後、殺菌装置６０により清掃部品３０が十分に乾燥すると予測される時間に相当する。第２閾値は、試験等の結果に基づいて予め設定される。第２閾値は、第１閾値よりも小さい。
【００５５】
検出電流供給回路２２Ｃは、オフ後時間において、キャップ５０が電動歯ブラシ２に取り付けられた状態か否かを検出するための検出電流を第１本体通電通路ＦＣＣに供給する。検出電流供給回路２２Ｃは、検出電流を供給するための電圧（以下、「検出電圧」）を間欠的に、すなわち所定周期毎に第１本体通電通路ＦＣＣに印加する。このため、検出電流供給回路２２Ｃは、検出電流を所定周期毎に第１本体通電通路ＦＣＣに供給する。なお、検出電圧は、光源６１としての発光ダイオードの定格電圧よりも小さい。このため、検出電圧が印加されることにより光源６１に検出電流が供給されたとき、光源６１は点灯しない。
【００５６】
点灯電流供給回路２２Ｄは、光源６１を点灯させるための電流（以下、「点灯電流」）を供給する。点灯電流供給回路２２Ｄは、キャップ５０が電動歯ブラシ２に取り付けられたと判定されたとき、光源６１への点灯電流の供給を開始する。
【００５７】
電流検出回路２２Ｅは、装置本体１０内に供給した検出電流および点灯電流が再びマイコン２２に流れるときの電流（以下、「入力電流」）の大きさを測定する。電流検出回路２２Ｅは、シャント抵抗２２Ｆおよび電流検出アンプ２２Ｇを有する。
【００５８】
制御部２０の制御について説明する。
制御部２０は、検出電流供給制御、検出電流停止制御、光源点灯制御、および光源消灯制御を実行する。
【００５９】
検出電流供給制御は、電源スイッチ１３（図１参照）がオン状態からオフ状態に変更されたことに基づいて、検出電流供給回路２２Ｃにより第１本体通電通路ＦＣＣへの検出電流の供給を開始する。検出電流供給制御は、所定周期毎に検出電流を第１本体通電通路ＦＣＣに供給する。
【００６０】
検出電流停止制御は、電源スイッチ１３がオン状態であること、ブリッスル束４０が乾燥していると予測されること、および光源６１が消灯から点灯に変更されたことに基づいて、検出電流の供給を停止する。
【００６１】
光源点灯制御は、キャップ５０が電動歯ブラシ２に取り付けられたこと、およびブリッスル束４０が乾燥していないと予測されることに基づいて光源６１を点灯する。
光源消灯制御は、光源６１が点灯している状態において、ブリッスル束４０が乾燥していると予測されること、またはキャップ５０が電動歯ブラシ２から取り外されたことに基づいて、光源６１を消灯する。
【００６２】
図１を参照して、口腔衛生装置１の動作について説明する。
使用者は、口腔衛生装置１の電源スイッチ１３をオン状態に操作する。制御部２０は、電源スイッチ１３がオン状態になったことに基づいて、電源１５の電力をアクチュエーター１６に供給する。
【００６３】
アクチュエーター１６は、電源１５の電力が供給されたとき、駆動軸１７をＺ方向に振動させる。駆動軸１７は、清掃部品３０をＺ方向に振動させる。これにより、ブリッスル束４０および植毛台３２がＺ方向に振動する。
【００６４】
使用者は、口腔内の清掃後、電源スイッチ１３をオン状態からオフ状態に操作する。制御部２０は、電源スイッチ１３がオン状態からオフ状態に変更されたことに基づいて、アクチュエーター１６への電源１５の電力の供給を停止する。このため、清掃部品３０がＺ方向に振動することが停止される。
【００６５】
図３〜図５を参照して、口腔衛生装置１の作用について説明する。
口腔衛生装置１は、キャップ５０が電動歯ブラシ２に取り付けられたとき、通電回路ＦＣが形成される。このため、検出電流供給回路２２Ｃに供給された検出電流は、通電回路ＦＣを流れる。この通電回路ＦＣを流れた検出電流は、電流検出回路２２Ｅにより入力電流が「０」以外の値として検出される。
【００６６】
しかし、口腔衛生装置１の通電回路は、図３に示される通電回路ＦＣのほか、図４に示される通電回路ＦＣＸおよび図５に示される通電回路ＦＣＹの構成が考えられる。これら通電回路ＦＣＸ，ＦＣＹの構成においても検出電流は、電流検出回路２２Ｅにより入力電流が「０」以外の値として検出される。
【００６７】
通電回路ＦＣＸは、装置本体１０から清掃部品３０を取り外した状態において、装置本体１０を洗浄するときに形成される。すなわち、通電回路ＦＣＸは、使用者が装置本体１０の導電ケース１２を把持しかつ駆動軸１７に手が接触したときに形成される。
【００６８】
通電回路ＦＣＸは、第１本体通電通路ＦＣＣ、第２本体通電通路ＦＣＤ、および短絡通路を有する。短絡通路は、使用者の手または水により構成される。通電回路ＦＣＸにおいては、短絡通路により第１本体通電通路ＦＣＣおよび第２本体通電通路ＦＣＤを接続する。このため、通電回路ＦＣＸにおいては、検出電流が電源１５、制御部２０、第１接続端子２３、導電ケース１２、使用者の手または水、駆動軸１７、軸受部品１８、軸受支持体１９、第２接続端子２４、および制御部２０の順に流れる。
【００６９】
通電回路ＦＣＹは、電動歯ブラシ２の使用時において、使用者が導電ケース１２および導電体３３に触れたときに形成される。通電回路ＦＣＹは、電動歯ブラシ２の使用時において、導電ケース１２から人体を介して、清掃部品３０の導電体３３が口腔内の唾液により口腔粘膜と導通することにより形成される。
【００７０】
通電回路ＦＣＹは、清掃部品通電通路ＦＣＢ、第１本体通電通路ＦＣＣ、第２本体通電通路ＦＣＤ、および身体通電通路を有する。この身体通電通路は、使用者の口腔から導電ケース１２に触れた手までの通電通路により構成される。通電回路ＦＣＹにおいては、次の接続構成を有する。すなわち、清掃部品通電通路ＦＣＢと第２本体通電通路ＦＣＤとが互いに接続される。身体通電通路を介して清掃部品通電通路ＦＣＢと第１本体通電通路ＦＣＣとが互いに接続される。このため、通電回路ＦＣＹにおいては、検出電流が電源１５、制御部２０、第１接続端子２３、導電ケース１２、使用者の手から口腔、導電体３３、接続ターミナル３４、駆動軸１７、軸受部品１８、軸受支持体１９、第２接続端子２４、および制御部２０の順に流れる。
【００７１】
このため、制御部２０は、入力電流が「０」以外の値を検出したことに基づいてキャップ５０が電動歯ブラシ２に取り付けられていると判定すると仮定した場合、キャップ５０が電動歯ブラシ２に取り付けられていないにもかかわらず、キャップ５０が電動歯ブラシ２に取り付けられていると判定するおそれがある。
【００７２】
ところで、通電回路ＦＣの構成は、通電回路ＦＣＸの構成および通電回路ＦＣＹの構成と異なる。このため、通電回路ＦＣにおける入力電流の大きさは、通電回路ＦＣＸにおける入力電流の大きさおよび通電回路ＦＣＹにおける入力電流の大きさと異なる。
【００７３】
通電回路ＦＣＸにおいては、短絡通路が使用者の手または水により構成され、かつ短絡通路は、清掃部品通電通路ＦＣＢおよびキャップ通電通路ＦＣＡよりも短い。これにより、短絡通路の抵抗値の大きさが清掃部品通電通路ＦＣＢの抵抗値およびキャップ通電通路ＦＣＡの抵抗値の合計よりも小さい。このため、通電回路ＦＣＸにおける入力電流の大きさは、通電回路ＦＣにおける入力電流の大きさよりも大きくなる。
【００７４】
一方、通電回路ＦＣＹにおいては、身体通電通路が人体において口腔から手までの通路を構成するため、身体通電通路の抵抗値の大きさが清掃部品通電通路ＦＣＢの抵抗値およびキャップ通電通路ＦＣＡの抵抗値の合計よりも大きい。このため、通電回路ＦＣＹにおける入力電流の大きさは、通電回路ＦＣにおける入力電流の大きさよりも小さくなる。
【００７５】
そこで、制御部２０は、入力電流の大きさに基づいて、通電回路ＦＣが形成されているか否かを判定する。詳細には、制御部２０は、入力電流が基準範囲内か否かに基づいて、通電回路ＦＣが形成されているか否かを判定する。制御部２０は、入力電流が基準範囲内のとき、通電回路ＦＣが形成されていると判定する。制御部２０は、入力電流が基準範囲外のとき、通電回路ＦＣが形成されていないと判定する。
【００７６】
なお、基準範囲は、通電回路ＦＣが形成された状態において検出電流が供給されたときの入力電流の大きさの範囲を示す。基準範囲は、口腔衛生装置１の製品ばらつきによる通電回路ＦＣの抵抗値のばらつきを考慮して設定される。基準範囲は、試験等の結果に基づいて予め設定される。
【００７７】
制御部２０は、光源点灯制御において、入力電流が基準範囲内のとき、キャップ５０が電動歯ブラシ２に取り付けられていると判定する。そして、制御部２０は、点灯電流を光源６１に供給する。このように、通電回路ＦＣＸおよび通電回路ＦＣＹが形成されたとき、点灯電流が光源６１に供給されない。このため、電源１５の電力の消費が抑制される。
【００７８】
また、検出電流が常時供給されている場合、電源１５の電力の消費が多くなる。このため、検出電流が供給される期間を短くすることが好ましい。
検出電流は、光源点灯制御において、キャップ５０が電動歯ブラシ２に取り付けられているか否かを判定するために用いられる。光源点灯制御は、ブリッスル束４０および植毛台３２を乾燥させて細菌の繁殖を抑制するために行われる。このため、ブリッスル束４０および植毛台３２が乾燥していれば、光源６１が点灯する必要はない。
【００７９】
電動歯ブラシ２が使用された後、キャップ５０が装着されないまま所定時間経過したとき、ブリッスル束４０および植毛台３２（ともに図１参照）が乾燥している予測される。このため、キャップ５０が電動歯ブラシ２に装着されても光源６１を点灯させる必要性が低い。したがって、制御部２０は、電動歯ブラシ２が使用された後から所定時間経過した後において、キャップ５０が電動歯ブラシ２に取り付けられたか否かを判定する必要性が低い。このため、検出電流供給回路２２Ｃは、電動歯ブラシ２が使用された後から所定時間経過した後において、検出電流を供給する必要性が低い。
【００８０】
そこで、制御部２０は、検出電流停止制御において、ブリッスル束４０および植毛台３２が乾燥したと予測されるとき、検出電流の供給を停止する。これにより、制御部２０は、検出電流の必要性が低い期間において、検出電流の供給を停止することができる。
【００８１】
次に光源点灯制御、光源消灯制御、および検出電流停止制御の処理手順についてそれぞれ説明する。
図６を参照して、光源点灯制御の処理手順について説明する。本処理は、所定周期毎に繰り返し実行される。なお、図６を参照する以下の説明において、符号が付された口腔衛生装置１に関する各構成要素は、図３に記載された各構成要素を示す。
【００８２】
制御部２０は、ステップＳ１１において電源スイッチ１３（図１参照）がオフ状態か否かを判定する。制御部２０は、電源スイッチ１３のオン信号を受信している状態か否かに基づいてステップＳ１１の判定を行う。制御部２０は、スイッチ１３Ｂ（図１参照）のオン信号を受信している状態のとき、電源スイッチ１３がオン状態と判定する。制御部２０はスイッチ１３Ｂのオン信号を受信していない状態のとき、電源スイッチ１３がオフ状態と判定する。
【００８３】
制御部２０は、ステップＳ１２において入力電流の大きさが基準範囲内か否かを判定する。制御部２０は、電流検出回路２２Ｅにより、検出電流に基づく入力電流の大きさに基づいてステップＳ１２の判定を行う。
【００８４】
制御部２０は、ステップＳ１３においてオフカウントが第１閾値以上か否かを判定する。制御部２０は、タイマー回路２２Ｂによりオフカウントが第１閾値に達したか否かに基づいて、ステップＳ１３の判定を行う。オフカウントが第１閾値以上のとき、植毛台３２およびブリッスル束４０（ともに図１参照）が乾燥したと予測される。
【００８５】
制御部２０は、ステップＳ１４において取付カウントが第２閾値以上か否かを判定する。制御部２０は、タイマー回路２２Ｂにより取付カウントが第２閾値に達したか否かに基づいて、ステップＳ１４の判定を行う。取付カウントが第２閾値以上のとき、植毛台３２およびブリッスル束４０が乾燥したと予測される。
【００８６】
制御部２０は、ステップＳ１１およびステップＳ１２が肯定判定、かつステップＳ１３およびステップＳ１４が否定判定のとき、ステップＳ１５において光源６１を点灯する。制御部２０は、点灯電流供給回路２２Ｄにより点灯電流を光源６１に供給する。
【００８７】
図７を参照して、光源消灯制御の処理手順について説明する。本処理は、光源６１が点灯している期間において、所定周期毎に繰り返し実行される。なお、図７を参照する以下の説明において、符号が付された口腔衛生装置１に関する各構成要素は、図３に記載された各構成要素を示す。
【００８８】
制御部２０は、ステップＳ２１において入力電流の大きさが基準範囲以上か否かを判定する。ステップＳ２１の判定は、光源点灯制御のステップＳ１２の判定と同様である。制御部２０は、入力電流の大きさが基準範囲以上のとき、点灯電流が通電回路ＦＣに供給されていると判定する。一方、制御部２０は、入力電流の大きさが基準範囲よりも小さいとき、点灯電流が通電回路ＦＣに供給されていないと判定する。すなわち、制御部２０は、キャップ５０が電動歯ブラシ２から取り外されていると判断する。
【００８９】
制御部２０は、ステップＳ２２においてオフカウントが第１閾値以上か否かを判定する。ステップＳ２２の判定は、光源点灯制御のステップＳ１３の判定と同様である。
制御部２０は、ステップＳ２３において取付カウントが第２閾値以上か否かを判定する。ステップＳ２３の判定は、光源点灯制御のステップＳ１４の判定と同様である。
【００９０】
制御部２０は、ステップＳ２１およびステップＳ２２において肯定判定のとき、ステップＳ２４において光源６１を消灯する。制御部２０は、ステップＳ２１において肯定判定、かつステップＳ２２において否定判定、かつステップＳ２３において肯定判定のとき、ステップＳ２４に移行する。制御部２０は、ステップＳ２１において否定判定のとき、ステップＳ２４に移行する。
【００９１】
図８を参照して、検出電流停止制御の処理手順について説明する。本処理は、検出電流供給制御が実行されている期間において、所定周期毎に繰り返し実行される。なお、図８を参照する以下の説明において、符号が付された口腔衛生装置１に関する各構成要素は、図３に記載された各構成要素を示す。
【００９２】
制御部２０は、ステップＳ３１において電源スイッチ１３（図１参照）がオフ状態か否かを判定する。ステップＳ３１の判定は、光源点灯制御のステップＳ１１の判定と同様である。
【００９３】
制御部２０は、ステップＳ３２において光源６１が点灯しているか否かを判定する。制御部２０は、点灯電流供給回路２２Ｄにより点灯電流が光源６１に供給されているか否かに基づいてステップＳ３２の判定を行う。制御部２０は、点灯電流が光源６１に供給されているとき、光源６１が点灯していると判定する。制御部２０は、点灯電流が光源６１に供給されていないとき、光源６１が点灯していないと判定する。
【００９４】
制御部２０は、ステップＳ３３においてオフカウントが第１閾値以上か否かを判定する。ステップＳ３３の判定は、光源点灯制御のステップＳ１３の判定と同様である。
制御部２０は、ステップＳ３４において取付カウントが第２閾値以上か否かを判定する。ステップＳ３４の判定は、光源点灯制御のステップＳ１４の判定と同様である。
【００９５】
制御部２０は、ステップＳ３１において肯定判定、かつステップＳ３２において否定判定、かつステップＳ３３において肯定判定のとき、ステップＳ３５において検出電流の供給を停止する。制御部２０は、ステップＳ３１において肯定判定、かつステップＳ３２において否定判定、かつステップＳ３３において否定判定、かつステップＳ３４において肯定判定のとき、ステップＳ３５に移行する。制御部２０は、ステップＳ３１において否定判定のとき、ステップＳ３５に移行する。制御部２０は、ステップＳ３１において肯定判定、かつステップＳ３２において肯定判定のとき、ステップＳ３５に移行する。
【００９６】
本実施形態の口腔衛生装置１は、以下の効果を奏する。
（１）口腔衛生装置１は、キャップ５０が電動歯ブラシ２に取り付けられたことを検出したとき、光源６１を点灯する。この構成によれば、口腔衛生装置を収容するためのケースに殺菌装置を有すると仮定した構成とは異なり、同ケースを携帯しなくともブリッスル束４０の殺菌効果を得ることが可能となる。すなわち口腔衛生装置１は、ブリッスル束４０の殺菌作用および優れた携帯性を有する。
【００９７】
また、使用者がキャップ５０を電動歯ブラシ２に取り付ける動作が光源６１を点灯させるためのトリガーとなるため、使用者の操作により光源６１を点灯させるためのスイッチを省略することができる。
【００９８】
（２）口腔衛生装置１は、検出電流が基準範囲内であることに基づいて、キャップ５０が電動歯ブラシ２に取り付けられていると判定する。この構成によれば、キャップ５０が電動歯ブラシ２に取り付けられているか否かを判定するための専用の装置を有すると仮定した構成と比較して、部品点数が少なくなる。また、口腔衛生装置１が軽量化する。
【００９９】
（３）口腔衛生装置１は、検出電流供給回路２２Ｃの検出電圧が光源６１としての発光ダイオードの定格電圧よりも小さい。この構成によれば、検出電流の大きさが点灯電流の大きさよりも小さくなる。このため、検出電流供給回路２２Ｃの検出電流の供給により電源１５の電力が消費されることが抑制される。
【０１００】
（４）口腔衛生装置１は、電源スイッチ１３がオン状態からオフ状態に変更されたとき、検出電流供給回路２２Ｃによる第１本体通電通路ＦＣＣへの検出電流の供給が開始される。すなわち、口腔衛生装置１は、電源スイッチ１３がオン状態のとき、検出電流供給回路２２Ｃによる第１本体通電通路ＦＣＣへの検出電流の供給が停止される。この構成によれば、検出電流供給回路２２Ｃによる第１本体通電通路ＦＣＣへの検出電流の供給が常時行われていると仮定した構成と比較して電源１５の電力が消費されることが抑制される。
【０１０１】
（５）口腔衛生装置１は、タイマー回路２２Ｂによるオフカウントが第１閾値に達したとき、または取付カウントが第２閾値に達したとき、検出電流供給回路２２Ｃによる第１本体通電通路ＦＣＣへの検出電流の供給が停止される。この構成によれば、検出電流供給回路２２Ｃによる第１本体通電通路ＦＣＣへの検出電流の供給が常時行われていると仮定した構成と比較して、電源１５の電力が消費されることが抑制される。
【０１０２】
（６）口腔衛生装置１は、検出電流供給回路２２Ｃによる検出電圧の印加が間欠的に行われる。この構成によれば、検出電流供給回路２２Ｃによる検出電圧の印加が常時（連続的に）行われると仮定した構成と比較して、電源１５の電力が消費されることが抑制される。
【０１０３】
（７）口腔衛生装置１は、光源６１が点灯状態のとき、検出電流供給回路２２Ｃによる第１本体通電通路ＦＣＣへの検出電流の供給が停止される。この構成によれば、検出電流供給回路２２Ｃによる第１本体通電通路ＦＣＣへの検出電流の供給が常時行われていると仮定した構成と比較して、電源１５の電力が消費されることが抑制される。
【０１０４】
（８）口腔衛生装置１は、タイマー回路２２Ｂによる取付カウントが第２閾値に達したとき、光源６１を消灯する。この構成によれば、使用者のスイッチ操作に基づいて光源６１を消灯すると仮定した構成と比較して、スイッチ操作の忘れにより光源６１の点灯状態が維持されることが抑制される。このため、電源１５の電力が消費されることが抑制される。
【０１０５】
（９）口腔衛生装置１は、タイマー回路２２Ｂによるオフカウントが第１閾値に達したとき、光源６１を点灯しない。この構成によれば、オフカウントが第１閾値に達したとき、ブリッスル束４０および植毛台３２が乾燥していると予測されるため、光源６１がブリッスル束４０および植毛台３２を乾燥させる必要性が低い。このような期間において光源６１が点灯されないことにより、電源１５の電力が消費されることが抑制される。
【０１０６】
（１０）口腔衛生装置１は、キャップ５０が電動歯ブラシ２から取り外されるとき、光源６１が消灯する。この構成によれば、ブリッスル束４０の殺菌効果が得られにくいときに光源６１から紫外線光が照射されることが抑制される。
【０１０７】
（１１）電動歯ブラシ２の電源１５は、殺菌装置６０に電力を供給する。この構成によれば、殺菌装置６０に電力を供給するための専用の電源を有すると仮定した構成と比較して、部品点数が少なくなる。また、口腔衛生装置１が軽量化する。
【０１０８】
（１２）殺菌装置６０の各端子６３は、弾性変形した状態で導電筒５３および導電板５４と電気的に接続する。この構成によれば、各端子６３と導電筒５３および導電板５４とが離間することに起因して、光源６１に電流が流れなくなる状況が生じることが抑制される。
【０１０９】
（１３）殺菌装置６０は、回路基板６２の実装面６２Ａにコーティング層を有する。この構成によれば、水が配線部分６２Ｂに付着することが抑制される。このため、水により配線部分６２Ｂ同士が短絡することが抑制される。
【０１１０】
本口腔衛生装置は、上記実施形態とは別の実施形態を含む。以下、本口腔衛生装置のその他の実施形態としての上記実施形態の変形例を示す。なお、以下の各変形例は、互いに組み合わせることもできる。
【０１１１】
・実施形態の口腔衛生装置１は、植毛台３２の導電体３３とキャップ５０の導電板５４とが接触することにより清掃部品３０およびキャップ５０が導通する構成を有する。一方、変形例の口腔衛生装置１は、清掃部品８０およびキャップ５０が導通する構成として、図９に示される構成を有する。
【０１１２】
図９（ａ）に示されるように、変形例のキャップ５０は、実施形態のキャップ５０から導電板５４を省略し、導電リング５６を追加した構成を有する。変形例のキャップ５０においては、導電リング５６が殺菌装置６０の上方向ＺＡ側の端子６３と接触する。
【０１１３】
導電リング５６は、金属粉を含む樹脂材料により形成される。導電リング５６は、筒状に形成される。導電リング５６は、筒固定部分５１Ａの上端部分に圧入される。導電リング５６は、キャップ５０が電動歯ブラシ２に取り付けられた状態において、植毛台３２およびブリッスル束４０に対向する。
【０１１４】
清掃部品８０は、ブラシ柄８１、植毛台８２、導電板８３、接続ターミナル８４、内部空間８５、および複数のブリッスル束９０を有する。清掃部品８０は、ブラシ柄８１、植毛台８２、導電板８３、および接続ターミナル８４が結合された集合体として構成される。清掃部品８０は、同一の非導電性の樹脂材料によりブラシ柄８１および植毛台８２が形成される構成を有する。
【０１１５】
導電板８３は、金属板により形成される。内部空間８５において植毛台８２に対応する箇所に位置する。導電板８３は、ブリッスル束９０および植毛台８２の後方向ＸＢの部分により挟まれる。
【０１１６】
接続ターミナル８４は、金属板により形成される。接続ターミナル８４の上端部分は、導電板８３に固定される。接続ターミナル８４は、導電板８３と電気的に接続される。
ブリッスル束９０は、ブリッスル９１が後方向ＸＢの端部において互いに溶着されることにより溶着部分９４が形成される。溶着部分９４の外径は、植毛台８２の挿入孔８２Ａの内径よりも大きい。ブリッスル束９０は、挿入孔８２Ａに挿入される。ブリッスル束９０は、溶着部分９４が植毛台８２の前方向ＸＡの部分および導電板８３に挟み込まれることにより植毛台８２に固定される。
【０１１７】
図９（ｂ）に示されるように、ブリッスル９１は、芯部９２および鞘部９３を有する。ブリッスル９１は、鞘部９３が芯部９２を被覆する構成を有する。ブリッスル９１は、芯部９２の先端部分が鞘部９３から前方向ＸＡに突出する構成を有する。
【０１１８】
芯部９２は、金属粉を含むポリアミド樹脂により形成される。芯部９２は、円柱形状に形成される。鞘部９３は、非導電性を有する樹脂材料により形成される。鞘部９３は、円筒形状に形成される。
【０１１９】
変形例の口腔衛生装置１の通電回路について説明する。
キャップ通電通路ＦＣＡは、キャップ５０の導電筒５３と、殺菌装置６０内の通電経路と、キャップ５０の導電リング５６とにより構成される。
【０１２０】
清掃部品通電通路ＦＣＢは、清掃部品８０の接続ターミナル８４、導電板８３、および各ブリッスル束９０の芯部９２により構成される。
第１本体通電通路ＦＣＣおよび第２本体通電通路ＦＣＤは、実施形態の第１本体通電通路ＦＣＣおよび第２本体通電通路ＦＣＤ（図３参照）と同じ構成を有する。
【０１２１】
通電回路ＦＣは、以下の接続構成を有する。すなわち、第１本体通電通路ＦＣＣとキャップ通電通路ＦＣＡとが互いに接続される。第２本体通電通路ＦＣＤと清掃部品通電通路ＦＣＢとが互いに接続される。清掃部品通電通路ＦＣＢとキャップ通電通路ＦＣＡとが互いに接続される。このため、通電回路ＦＣにおいては、電源１５、制御部２０、第１接続端子２３、導電ケース１２（ともに図３参照）、導電筒５３、殺菌装置６０、導電リング５６、芯部９２、導電板８３、接続ターミナル８４、駆動軸１７、軸受部品１８、軸受支持体１９、第２接続端子２４（ともに図３参照）、制御部２０の順に電流が流れる。これにより、電源１５は、殺菌装置６０に電力を供給する。
【０１２２】
・実施形態の口腔衛生装置１は、入力電流の大きさに基づいてキャップ５０が電動歯ブラシ２に取り付けられているか否かを判定する。一方、変形例の口腔衛生装置１は、図１０および図１１に示される機械式のスイッチの構成、図１２に示される磁気式のスイッチの構成により、キャップ５０が電動歯ブラシ２に取り付けられているか否かを判定する。
【０１２３】
機械式のスイッチの詳細な構成について説明する。
図１０（ａ）に示されるように、変形例の制御部２０は、回路基板２１の上端部分に機械式のスイッチ１００を有する。変形例の回路基板２１は、実施形態の回路基板２１よりも上方向ＺＡに位置する。変形例の本体ケース１１は、回路基板２１が位置する前方向ＸＡの部分が切り欠かれている。変形例の導電ケース１２は、前方向ＸＡの部分においてＺ方向に貫通する貫通孔１２Ａを有する。
【０１２４】
変形例の装置本体１０は、実施形態の装置本体１０のパッキン１４に代えてパッキン１１０を有する。パッキン１１０は、弾性に富んだ樹脂材料により形成される。パッキン１１０は、パッキン本体１１１、スイッチ部分１１２、および位置決め部分１１３を有する。パッキン１１０は、同一の樹脂材料によりパッキン本体１１１、スイッチ部分１１２、および位置決め部分１１３が一体に形成された構成を有する。
【０１２５】
パッキン本体１１１は、本体ケース１１に固定される。パッキン本体１１１は、内周端部において駆動軸１７に密着する。パッキン本体１１１は、嵌合部分１１Ａを介して本体ケース１１の内部への水の侵入を抑制する。
【０１２６】
スイッチ部分１１２は、パッキン１１０の前方向ＸＡに位置する。スイッチ部分１１２は、導電ケース１２の貫通孔１２Ａを構成する内周面に密着する。スイッチ部分１１２は、貫通孔１２Ａから上方向ＺＡに突出する部分を有する。スイッチ部分１１２は、駆動軸１７の中心軸回りの方向において一部分のみに形成される（図１０（ｂ）参照）。
【０１２７】
位置決め部分１１３は、パッキン本体１１１をＺ方向に貫通する貫通孔として形成される。位置決め部分１１３は、本体ケース１１の位置決め突起１１Ｂに嵌め合わせられる。位置決め部分１１３は、本体ケース１１に対するパッキン１１０の位置を決める。
【０１２８】
図１１に示されるように、キャップ５０が電動歯ブラシ２に取り付けられるとき、キャップ５０の下端面によりスイッチ部分１１２が下方向ＺＢに押し付けられる。スイッチ部分１１２は、装置本体１０に対して下方向ＺＢに弾性変形する。そして、スイッチ部分１１２は、スイッチ１００を押す。これにより、スイッチ１００は、オン状態となる。スイッチ１００は、オン状態のとき、マイコン２２（図３参照）にオン信号を出力する。
【０１２９】
一方、キャップ５０が電動歯ブラシ２から取り外されるとき、スイッチ部分１１２は復元力により上方向ＺＡに移動する。これにより、スイッチ部分１１２は、スイッチ１００から離間する。このため、スイッチ１００がオフ状態となる。
【０１３０】
制御部２０は、スイッチ１００がオン状態となるとき、点灯電流を光源６１に供給する。制御部２０は、タイマー回路２２Ｂによりオフカウントが第１閾値に達するまで、または取付カウントが第２閾値に達するまで点灯電流を光源６１に供給する。また、制御部２０は、スイッチ１００がオフ状態となるとき、点灯電流を光源６１に供給しない。
【０１３１】
・上記変形例の口腔衛生装置１において、パッキン１１０は、スイッチ部分１１２とパッキン本体１１１とを個別に形成する構成とすることもできる。また、上記変形例の口腔衛生装置１において、パッキン１１０からスイッチ部分１１２を省略し、スイッチ部分１１２に相当する部品をパッキン１１０とは個別に形成することもできる。
【０１３２】
磁気式のスイッチの詳細な構成について説明する。
図１２（ａ）に示されるように、変形例の装置本体１０は、磁気センサー１２０を有する。変形例のキャップ５０は、永久磁石１３０を有する。
【０１３３】
磁気センサー１２０は、本体ケース１１の前方向ＸＡの部分において固定される。磁気センサー１２０は、リードスイッチ１２１、保持部品１２２、および２本のリード線１２３を有する。
【０１３４】
リードスイッチ１２１は、永久磁石１３０の磁束によりオン状態およびオフ状態を切り替える。リードスイッチ１２１は、オン状態のとき、マイコン２２（図３参照）にオン信号を出力する。保持部品１２２は、Ｘ方向が長手方向となる板形状を有する（図１２（ｂ）参照）。保持部品１２２は、導電ケース１２に固定される。保持部品１２２は、リードスイッチ１２１よりも上方向ＺＡに位置する。保持部品１２２は、リードスイッチ１２１を保持する。リード線１２３は、リードスイッチ１２１および回路基板２１に接続される。リード線１２３は、リードスイッチ１２１と回路基板２１とを電気的に接続する。
【０１３５】
制御部２０は、リードスイッチ１２１がオン状態となるとき、点灯電流を光源６１に供給する。制御部２０は、タイマー回路２２Ｂによりオフカウントが第１閾値に達するまで、または取付カウントが第２閾値に達するまで点灯電流を光源６１に供給する。また、制御部２０は、リードスイッチ１２１がオフ状態となるとき、点灯電流を光源６１に供給しない。
【０１３６】
・上記変形例の口腔衛生装置１は、１個の永久磁石１３０を有する。一方、別の変形例の口腔衛生装置１は、複数の永久磁石１３０を有する。別の変形例の口腔衛生装置１は、駆動軸１７の中心軸回りの方向において互いに離間して配置される。この構成によれば、駆動軸１７の中心軸回りの方向において、電動歯ブラシ２に対するキャップ５０の位置が異なった場合においても磁気センサー１２０がオン状態となる。
【０１３７】
・実施形態の口腔衛生装置１は、タイマー回路２２Ｂにより電源スイッチ１３がオフ状態に操作されてからの経過時間（オフ後時間）を測定する。一方、変形例の口腔衛生装置１は、オフ後時間の測定を省略する。変形例の口腔衛生装置１においては、光源点灯制御において、ステップＳ１３が省略される。変形例の口腔衛生装置１においては、光源消灯制御において、ステップＳ２２が省略される。変形例の口腔衛生装置１においては、検出電流停止制御において、ステップＳ３３が省略される。
【０１３８】
・実施形態の口腔衛生装置１は、タイマー回路２２Ｂによりキャップ５０が電動歯ブラシ２に取り付けられてからの経過時間（取付後時間）を測定する。一方、変形例の口腔衛生装置１は、取付後時間の測定を省略する。変形例の口腔衛生装置１においては、光源点灯制御において、ステップＳ１４が省略される。変形例の口腔衛生装置１においては、光源消灯制御において、ステップＳ２３が省略される。変形例の口腔衛生装置１においては、検出電流停止制御において、ステップＳ３４が省略される。
【０１３９】
・実施形態の口腔衛生装置１は、光源消灯制御のステップＳ２１において、入力電流の大きさが基準範囲以上か否かに基づいて、光源６１が点灯状態か否かを判定する。一方、変形例の口腔衛生装置１は、ステップＳ２１において、入力電流の大きさが基準範囲以上か否かに代えて、点灯電流供給回路２２Ｄにより点灯電流が通電回路ＦＣに供給されているか否かに基づいて、光源６１が点灯状態か否かを判定する。
【０１４０】
・実施形態の口腔衛生装置１は、検出電流停止制御のステップＳ３２において、点灯電流供給回路２２Ｄにより点灯電流が通電回路ＦＣに供給されているか否かに基づいて、光源６１が点灯状態か否かを判定する。一方、変形例の口腔衛生装置１は、ステップＳ３２において、点灯電流供給回路２２Ｄにより点灯電流が通電回路ＦＣに供給されているか否かに代えて、入力電流の大きさが基準範囲以上か否かに基づいて、光源６１が点灯状態か否かを判定する。
【０１４１】
・実施形態の口腔衛生装置１は、制御部２０により検出電流停止制御が実行される。一方、変形例の口腔衛生装置１は、制御部２０から検出電流停止制御が省略される。すなわち、検出電流は第１本体通電通路ＦＣＣに常時供給される。
【０１４２】
・実施形態の口腔衛生装置１は、検出電流供給回路２２Ｃにより検出電圧が間欠的に印加される。一方、変形例の口腔衛生装置１は、検出電流供給回路２２Ｃにより検出電圧が常時（連続的に）印加される。
【０１４３】
・実施形態の口腔衛生装置１は、光源６１として発光ダイオードが用いられる。一方、変形例の口腔衛生装置１は、光源６１として発光ダイオードに代えて、蛍光灯が用いられる。
【０１４４】
・実施形態の口腔衛生装置１は、アクチュエーター１６を有する。一方、変形例の口腔衛生装置１は、アクチュエーター１６を有していない。
・実施形態の口腔衛生装置１は、清掃部品３０が装置本体１０からの取り外しが可能な構成を有する。一方、変形例の口腔衛生装置１は、清掃部品３０が装置本体１０と一体化した構成を有する。
【０１４５】
・実施形態の口腔衛生装置１は、キャップ５０が装置本体１０に直接的に取り付けられる構成を有する。一方、変形例の口腔衛生装置１は、キャップ５０が清掃部品３０に取り付けられる構成、すなわち清掃部品３０を介して間接的に装置本体１０に取り付けられる構成を有する。なお、キャップ５０が装置本体１０に直接的に取り付けられる構成、およびキャップ５０が清掃部品３０を介して間接的に装置本体１０に取り付けられる構成のそれぞれにおいて、キャップ５０は「清掃装置への取り付けおよび清掃装置からの取り外しが可能かつ清掃部品を保護する部品」に相当する。
【０１４６】
・実施形態の口腔衛生装置１は、清掃部品３０としてブリッスル束４０を有する歯ブラシを構成する。一方、変形例の口腔衛生装置１は、清掃部品３０として、歯ブラシに代えてステインケアまたは歯間ブラシを構成する。要するに、本口腔衛生装置は、口腔内を清掃する機能を有していれば、歯ブラシ以外の口腔衛生装置にも適用することができる。
【符号の説明】
【０１４７】
１…口腔衛生装置、２…電動歯ブラシ（清掃装置）、１５…電源、１６…アクチュエーター（振動発生装置）、１７…駆動軸（振動発生装置）、２２Ｃ…検出電流供給回路（供給部）、２２Ｅ…電流検出回路（検出部）、３０…清掃部品、５０…キャップ、６１…光源、８０…清掃部品。
【図１】
2014023796.tif 000003
【図２】
2014023796.tif 000004
【図３】
2014023796.tif 000005
【図４】
2014023796.tif 000006
【図５】
2014023796.tif 000007
【図６】
2014023796.tif 000008
【図７】
2014023796.tif 000009
【図８】
2014023796.tif 000010
【図９】
2014023796.tif 000011
【図１０】
2014023796.tif 000012
【図１１】
2014023796.tif 000013
【図１２】
2014023796.tif 000014